(57)【要約】      （修正有）【課題】印刷製本物の折り畳み部に折り曲げ線を形成して、折れやすいようにし、折られた印刷製本物の製本部の嵩が減少するように圧搾する工程を一律に行なえる印刷製本物の製作装置を提供する。【解決手段】第１モーター７２と、前記の第１モーターの回転運動を直線運動に変換する第１運動変換部と、前記の第１運動変換部に設置されて、印刷物に折り曲げ線を形成する折り曲げ刃７０が設けられている折り曲げ線形成部６０と、第２モーター１０２と、前記の第２モーターの回転運動を直線運動に変換する第２運動変換部と、前記の第２運動変換部に設置されて、折り曲げられた印刷物と間紙が交互に積層された製本対象物を加圧するプレスプレート９９が備えられた圧搾部９０を含んでいる。【選択図】図５
0003130100.tif 000002
【実用新案登録請求の範囲】
【請求項１】
第１モーターと、前記の第１モーターの回転運動を直線運動に変換する第１運動変換部と、前記の第１運動変換部に設置されて印刷物に折り曲げ線を形成する折り曲げ刃が設けられている折り曲げ線形成部と、第２モーターと、前記の第２モーターの回転運動を直線運動に変換する第２運動変換部と、前記の第２運動変換部に設置されて、折り曲げられた印刷物と間紙が交互に積層された製本対象物を加圧するプレスプレートが備えられた圧搾部を含むことを特徴とする印刷製本物の製作装置。
【請求項２】
請求項１において、前記の第１運動変換部は、前記の第１モーターの回転軸に結合された回転プレートと、前記の回転プレートの外郭部に形成されている突部と、前記の折り曲げ刃を固定するプッシュプレートと、前記のプッシュプレートの片側に結合されて前記の突部が上下に引っ掛かる、上・下部引っ掛かり突起が形成されている結合ブロックを含んでおり、前記の第１モーターが駆動する時、前記の回転プレートの突部が回転し、前記のプッシュプレートに結合した結合ブロックを上下に移動させることを特徴とする印刷製本物の製作装置。
【請求項３】
請求項２において、前記の突部には、前記の結合ブロックの上・下部引っ掛かり突起の間に位置するベアリングが結合されていることを特徴とする印刷製本物の製作装置。
【請求項４】
請求項２または請求項３において、前記の第１運動変換部は、前記のプッシュプレートの移動をガイドする第１ガイド部を含むことを特徴とする印刷製本物の製作装置。
【請求項５】
請求項４において、前記の折り曲げ線形成部は、印刷物が安着する第１作業プレートを含んでおり、前記の第１ガイド部は、前記の第１作業プレートに直交するように設置されて、複数のガイドレールが設置されている第１固定プレートを含んでおり、前記のプッシュプレートには、前記のガイドレールに結合するガイド溝が形成されていることを特徴とする印刷製本物の製作装置。
【請求項６】
請求項５において、前記の第１作業プレートは、印刷物が安着する位置に設置されているゴムプレートを更に含んでいることを特徴とする印刷製本物の製作装置。
【請求項７】
請求項１において、前記の圧搾部は、前記の製本物が安着する第２作業プレートを含んでおり、前記の第２運動変換部は、一端が前記の第２モーターの回転軸に結合しており、他端が前記のプレスプレートに連結している連結部材と、前記のプレスプレートを前記の第２作業プレートに弾性加圧する倍力部材を含んでおり、前記の第２モーターが回転する時、前記の連結部材が、前記のプレスプレートを引っ張って、前記の第２作業プレートと離隔させることを特徴とする印刷製本物の製作装置。
【請求項８】
請求項７において、前記の倍力部材は、コイルスプリングを含むことを特徴とする印刷製本物の製作装置。
【請求項９】
請求項７において、前記の第２運動変換部は、前記の連結部材の移動経路を変換する複数のアイドルギアを更に含むことを特徴とする印刷製本物の製作装置。
【請求項１０】
請求項７〜請求項９のいずれかにおいて、前記の第２作業プレートには、安着する印刷物を整列する整列部を更に含むことを特徴とする印刷製本物の製作装置。
【請求項１１】
請求項１０において、前記の整列部は、前記の第２作業プレートに形成されている複数のガイド溝部と、前記の第２作業プレートの上部に位置して、前記の製本物の製本部の反対側を、前記の第２作業プレートに押す整列片を含んでおり、
前記の整列片は、前記のガイド溝部に移動がガイドされる締結部材によって固定されることを特徴とする印刷製本物の製作装置。
【考案の詳細な説明】
【技術分野】
【０００１】
この考案は、印刷製本物の製作装置に関するもので、より詳細には、印刷製本物の折り畳み部に折り曲げ線を形成して折れやすいようにし、折られた印刷製本物の製本部の嵩が減少するように圧搾する工程を一律に行なえる印刷製本物の製作装置に関する。
【背景技術】
【０００２】
一般的に、印される。一方、前述の印刷物の一例として写真のような印刷物は、冊子形態に製本した刷物は印刷用紙に情報を印刷したものであって、印刷用紙または印刷される情報に応じて様々に分類される。前述の印刷物は、一枚で配布、或いは冊子のような形態に製本写真帖に固定、保管される。
【０００３】
このような写真帖は、透明なビニールフィルムポケットを内紙の前後に形成し、そのビニールポケットの内部に写真を挿入して保管するポケット式と、内紙の前後面に接着剤を塗布してから写真を固定し、内紙の余白に透明フィルムを密着させて固定する接着式がある。しかし、前記のポケット式および接着式の写真アルバムは、印刷物を画一的に製作された冊子形態に、単に保管する程度に過ぎないため、現像、或いは印刷された印刷物を製本形態として大事に保存したいと思うユーザーの要求を満たせないという問題点がある。
【０００４】
前記の従来の単純な保管用写真帖の問題点を解決するため、図１に示したように、写真のような印刷物（１２）を保管する冊子形態に製造された、写真帖のような印刷製本物（１０）が公知になっている。
【０００５】
しかし、従来の印刷製本物（１０）は、冊子形態に製作された半完成品の製本物の内部を構成する内紙（１４）の一面ごとにそれぞれ一枚の印刷物（１２）を貼り付け・固定させる方式と取っているため、印刷物（１２）が最終的に貼り付け・圧縮されても、図２に示したように、内紙（１４）がやや厚いため、完全に折り畳めないという問題がある。また、このような問題により、内紙（１４）が製本部（１６）から外れたり、開いたりして印刷製本物（１０）の見た目が悪く、保管性も低下する。それだけでなく、従来の印刷製本物（１０）は、厚い内紙（１４）を折り曲げて、これを好みの厚さに減少させるため、長時間の圧縮時間が求められるという工程上の問題がある。ここで、図中の（１８）は、前記の印刷製本物（１０）の表紙部であるカバーである。
【０００６】
このような問題を解決するための「印刷製本物およびその製造方法」が、韓国の第２００３年特許出願第８３０７９号に提案されている。前述の印刷製本物およびその製造方法は、内紙（１４）を折り曲げて製本する従来方式から脱して、図３に示したように、印刷物（２２）を折り曲げて製本することで印刷物（２２）の製本部（２６）が切断されず、連続的に製本することができる。また、従来のように厚い内紙（２４）を折り曲げないため印刷製本物（２０）の耐久性が向上する。
【０００７】
前述の印刷製本物およびその製造方法は、通常の折り曲げ機に印刷物（２２）を挿入し、印刷物（２２）の編集方向に合わせて適切な部位を折り曲げる。次に、編集順序を考慮して印刷物（２２）と所定の大きさの内紙（２４）を順次積層して印刷物（２２）と内紙（２４）を接着させる。次に、完成した製本物が一定の厚さを保つように、通常の圧縮機を用いて所定時間圧搾する。このように圧搾工程が終わると、通常の裁断機を用いて望みの大きさに裁断した後、折り曲げ部に補強テープ（２６ａ）を貼り、製本部（２６）をボンディングする。前述の印刷製本物（２０）は、カバー（２８）を両外側に取り付けて冊子形態に完成する。
【考案の開示】
【考案が解決しようとする課題】
【０００８】
前述のように、従来の技術により、印刷製本物を製作する課程およびそれに使用される装置を調べてみたが、従来の印刷製本物（２０）は、それぞれの工程が別個に構成されているので、作業に費やされる時間に、工程間の移動時間が加わる。また、従来の折り曲げ機や圧縮機は、写真のような小さい印刷物のための別途の装置が設けられていなかった。これにより、従来の折り曲げ機や圧縮機を用いる場合、装置の大きさが相対的に大きいため、作業がしにくいだけでなく、装置を駆動するためにかかる費用が多くなり、また、装置の大きさによっては設置スペースが制限されるという問題点がある。
【０００９】
そこで本考案は、印刷物に折り曲げ線を形成するための装置と、折り曲げられた印刷物の製本部を圧搾する装置とを一体に形成し、それぞれの装置を小型化し、印刷物の製本作業が容易になり、関連作業を一律に行なえるようにして作業効率の向上を図り、装置の設置面積が少なくしてスペースの活用にも一役買う印刷製本物の製作装置を提供することを課題とする。
【課題を解決するための手段】
【００１０】
上記課題に対して、本考案は次のように構成した。すなわち、本考案に係る印刷製本物の製作装置は、第１モーターと、前記の第１モーターの回転運動を直線運動に変換する第１運動変換部と、前記の第１運動変換部に設置されて、印刷物に折り曲げ線を形成する折り曲げ刃が設けられている折り曲げ線形成部と、第２モーターと、前記の第２モーターの回転運動を直線運動に変換する第２運動変換部と、前記の第２運動変換部に設置されて、折り曲げられた印刷物と間紙が交互に積層された製本対象物を加圧するプレスプレートが備えられた圧搾部を含んでいることを特徴としている。
【００１１】
ここで、前記の第１運動変換部は、前記の第１モーターの回転軸に結合された回転プレートと、前記の回転プレートの外郭部に形成されている突部と、前記の折り曲げ刃を固定するプッシュプレートと、前記のプッシュプレートの片側に結合されて前記の突部が上下に引っ掛かる、上・下部引っ掛かり突起が形成されている結合ブロックを含んでおり、前記の第１モーターが駆動する時、前記の回転プレートの突部が回転し、前記のプッシュプレートに結合した結合ブロックを上下に移動させることができる。また、前記の突部には、前記の結合ブロックの上・下部引っ掛かり突起の間に位置するベアリングを結合することができる。更に、前記の第１運動変換部は、前記のプッシュプレートの移動をガイドする第１ガイド部を含むことができる。
【００１２】
一方、前記の折り曲げ線形成部は、印刷物が安着する第１作業プレートを含んでおり、前記の第１ガイド部は、前記の第１作業プレートに直交するように設置されて、複数のガイドレールが設置されている第１固定プレートを含んでおり、前記のプッシュプレートには、前記のガイドレールに結合するガイド溝を形成することができる。
【００１３】
ここで、前記の第１作業プレートは、印刷物が安着する位置に設置されているゴムプレートを更に含むことができる。また、前記の圧搾部は、前記の製本物が安着する第２作業プレートを含んでおり、前記の第２運動変換部は、一端が前記の第２モーターの回転軸に結合しており、他端が前記のプレスプレートに連結している連結部材と、前記のプレスプレートを前記の第２作業プレートに弾性加圧する倍力部材を含んでおり、前記の第２モーターが回転する時、前記の連結部材が、前記のプレスプレートを引っ張って、前記の第２作業プレートと離隔させることができる。更に、前記の倍力部材は、コイルスプリングを含むことができる。
【００１４】
また、前記の第２運動変換部は、前記の連結部材の移動経路を変換する複数のアイドルギアを更に含むことができる。また、前記の第２作業プレートには、安着する印刷物を整列する整列部を更に含むことができる。
【００１５】
前記の整列部は、前記の第２作業プレートに形成されている複数のガイド溝部と、前記の第２作業プレートの上部に位置して、前記の製本物の製本部の反対側を、前記の第２作業プレートに押す整列片を含んでおり、前記の整列片は、前記のガイド溝部に移動がガイドされる締結部材によって固定することができる。
【考案の効果】
【００１６】
前記のように構成された本考案による印刷製本物の製作装置は、折り曲げ線を形成する折り曲げ線形成部と、製本物の製本部を加圧する圧搾部が一体に形成されており、印刷物を製本するための関連作業を一律に行なえるので作業速度が速くなるという長所がある。それだけでなく、折り曲げ線の形成および製本するために加圧する装置が印刷物の大きさに応じて小型化することができるので、使用しやすく、装置を製造するための製造コストが軽減できると共に、設置面積も制限されない。また、これによって、作業場のスペースを自在に活用することができるので活用性が向上する。
【考案を実施するための最良の形態】
【００１７】
以下、図面を参照して、本考案を具体的に説明する。図５は、本考案による印刷製本物の製作装置の斜視図であり、図６は、本考案による印刷製本物の製作装置の折り曲げ線形成部の斜視図である。また、図７〜図９は、本考案による折り曲げ線形成部の正面図、平面図、側面図である。
【００１８】
本考案による印刷製本物の製作装置（５０）は、図５〜図９に示したように、ベースプレート（５２）の上部の片側には、印刷物の表面に折り曲げ線を形成する折り曲げ線形成部（６０）と、折り曲げられた印刷物と間紙が交互に積層された製本物の製本部を加圧して圧搾する圧搾部（９０）が設置される。
【００１９】
ここで、前記の折り曲げ線形成部（６０）は、前記のベースプレート（５２）の上面に、折り曲げ線を形成する対象印刷物が安着する第１作業プレート（６２）が設置されており、前記の第１作業プレート（６２）には、第１ガイドプレート（６４）が直交するように設置されている。前記の第１ガイドプレート（６４）の前面部には、プッシュプレート（６６）が上下に移動可能なように設置される。このために、前記の第１ガイドプレート（６４）の前面にはガイド（６５）が形成され、前記のプッシュプレート（６６）の後面には前記のガイド（６５）に挿入される凹溝部が形成されているガイドブロック（６７）が結合される。
【００２０】
ここで、前記のガイド（６５）は、四角い柱形態に形成されており、前記の四角い柱の中央部から前方に向く方向に傾斜したくさび形の溝が形成される。また、前記のガイドブロック（６７）の凹溝は、前記のくさび形の溝に対応するように、端部が突出していて、前記のガイドブロック（６７）とガイド（６５）の結合時の前方または後方への揺動を遮断して、上下方向へだけスライディング移動させる。
【００２１】
一方、前記のプッシュプレート（６６）の底面には、印刷物に折り曲げ線を形成するための折り曲げ刃（７０）が結合される。このために、前記のプッシュプレート（６６）の下部には、前記の折り曲げ刃（７０）を差し込むための差し込み溝が形成される。また、前記のプッシュプレート（６６）の後面には、差し込まれた折り曲げ刃（７０）を固定するために、ボルトを締結するための締結ホールが形成される。
【００２２】
一方、前記の第１ガイドプレート（６４）の後面には、前記のプッシュプレート（６６）を上下に移動させて、前記の折り曲げ刃（７０）を印刷物に加圧するための第１モーター（７２）が設置される。また、前記の第１ガイドプレート（６４）の片側には、前記のプッシュプレート（６６）の位置を感知して前記の第１モーター（７２）の作動を断続する第１センサー（７１）が設置される。このために、前記の第１ガイドプレート（６４）の片側には、前記の第１センサー（７１）が感知した情報に従って、前記の第１モーター（７２）の駆動を制御するための第１制御部（７３）が設置される。また、前記の第１制御部（７３）には（図示していない）スイッチが連結される。また、前記の第１モーター（７２）とプッシュプレート（６６）の間には、前記の第１モーター（７２）の回転運動を上下運動に変換するための第１運動変換部が設置される。
【００２３】
前述の第１運動変換部を、より詳細に説明するために、図１０を参照すると次の通りである。図１０は、本考案による折り曲げ線形成部の内部構造が示された断面図であって、前記の第１運動変換部は、前記の第１モーター（７２）の回転軸（７２ａ）に設置されているギア体（７５）と、前記のギア体（７５）と噛合って縁部にギア歯が形成されており、前記の第１ガイドプレート（６４）に回転可能に固定されている回転プレート（７６）を含んでいる。また、前記の回転プレート（７６）には、中心を外れた外郭部に突部（７７）が形成される。また、前記のプッシュプレート（６６）の後面には、結合ブロック（７８）が設置される。前記結合ブロック（７８）は、前記の突部（７７）が上下に引っ掛かる上・下部引っ掛かり突起（７８ａ、７８ｂ）が形成されているもので、前記の第１モーター（７２）が回転する時、前記の上・下部引っ掛かり突起（７８ａ、７８ｂ）が、前記の突部（７７）に引っ掛かって、前記のプッシュプレート（６６）を上下に移動させる。また、前記の突部（７７）には、前記の引っ掛かり突起（７８ａ、７８ｂ）に接触した時の摩擦力を減少させるために、ベアリング（７９）が設置される。
【００２４】
前記の第１運動変換部は、前記のギア体（７５）と前記のギア体（７５）と噛合っている回転プレート（７６）からなる実施例によって説明されているが、前記の第２モーターの回転軸に前記の回転プレート（７６）が直接連結している構成に変えることも、もちろん可能である。
【００２５】
更に、前記の第１モーター（７２）は、ステップモーターからなることももちろん可能である。前記の第１モーター（７２）がステップモーターからなる場合、別途の第１センサー（７１）を取り付けなくても、前記のステップモーターの作動によって、前記のプッシュプレート（６６）の位相が制御される。また、前記の第１作業プレート（６２）には、装着されている印刷物との密着力を向上させ、前記の折り曲げ刃（７０）の加圧時、印刷物が損傷しないように、衝撃を緩衝するゴムプレート（６３）が設置される。更に、前記のベースプレート（５２）には、前記の第１作業プレート（６２）と連結して印刷物の垂れ下がりを防止するガイドパネル（５４）が設置される。
【００２６】
一方、前記の圧搾部（９０）は、折り曲げられた印刷物が安着する第２作業プレート（９２）が、前記のベースプレート（５２）の片側に設置されており、前記の第２作業プレート（９２）には、第２ガイドプレート（９４）が直交するように設置される。また、前記の第２ガイドプレート（９４）には、プレスプレート（９８）が上下に移動可能に設置される。このために、前記の第２ガイドプレート（９４）には、複数のガイドレール（９５）が形成されており、前記のガイドレール（９５）には、前記のプレスプレート（９８）に結合して前記のプレスプレート（９８）の上下移動をガイドするガイドブロック（９９）が結合される。
【００２７】
また、前記のベースプレート（５２）の片側には、第２モーター（１０２）が装着されており、前記の第２モーター（１０２）には、前記の第２モーター（１０２）と連動して回転力を直線運動に変換する第２運動変換部が設置される。前記の第２運動変換部は、一端が前記の第２モーター（１０２）の回転軸に結合されており、他端が前記のプレスプレート（９８）に連結されている連結部材（１０４）が設置される。また、前記の第２作業プレート（９２）には、前記のプレスプレート（９８）を前記の第２作業プレート（９２）に弾性加圧して、前記の第２作業プレート（９２）に安着している製本物の製本部を加圧するための倍力部材（１０６）が設置される。図中の１０８と１０９は、前記の第２モーターの回転量を感知するセンサーおよび制御部である。
【００２８】
前述のように構成されている第２運動変換部は、前記の第２モーター（１０２）が回転する時、前記の連結部材（１０４）が、前記のプレスプレート（９８）を引っ張って、前記の第２作業プレート（９２）から離隔させる。また、前記の第２運動変換部は、前記の連結部材（１０４）の運動方向を変換する方向変換部が更に設置される。前記の方向変換部は、前記の第２作業プレート（９２）の下部および、前記の第２ガイドプレート（９４）の上部に設置されているアイドルギア（１０５）を含んでいる。このように、前記のアイドルギア（１０５）が設置される場合、前記の連結部材（１０４）が、前記の第２ガイドプレート（９４）の前方および、前記の第２作業プレート（９２）の下部に設置することができるので、設計の自由度が向上する。
【００２９】
本考案の実施例で、前記の倍力部材（１０６）は、コイルスプリングからなり、前記のコイルスプリングの一端は、前記のプレスプレート（９８）に連結し、他端は前記の第２作業プレート（９２）の片側に連結されて、前記のプレスプレート（９８）を、前記の第２作業プレート（９２）に常時加圧する。また、前記の連結部材（１０４）は、タイミングベルトからなっているため自由自在に屈折が可能である。
【００３０】
本考案の実施例で、前記の倍力部材（１０６）は、コイルスプリングからなっているものとして説明されているが、本考案の実施例に限定されるものでなく、弾性ゴムまたはソレノイド装置のように、前記のプレスプレート（９８）を、前記の第２作業プレート（９２）に加圧できる様々な実施例に適用することも可能である。それだけでなく、前述のタイミングベルトは、駆動力を、より確実に伝達するために、チェーンに変えることも可能である。このように、前記の連結部材をチェーンに変える場合、前記のアイドルギア（１０５）は、スプロケットに替えて設置するのが望ましい。
【００３１】
また、前記の第２作業プレート（９２）には、安着される印刷物を整列する整列部（１１０）が設置される。前記の整列部（１１０）は、前記の第２作業プレート（９２）に形成されている複数のガイド溝部（１１２）と、前記の第２作業プレート（９２）の上部に位置して、前記の製本物の製本部の反対側を、前記の第２作業プレート（９２）に押す整列片（１１４）を含んでおり、前記の整列片（１１４）は、前記のガイド溝部（１１２）に移動がガイドされる締結部材（１１６）によって固定される。このために、前記の整列片（１１４）には、前記のガイド溝部（１１２）に対応する（図示されていない）複数の穴が形成されており、前記の穴には、締結部材（１１６）が挿入された後、前記のガイド溝部（１１２）に締結される。ここで、前記の締結部材（１１６）は、複数のボルトを含むことができ、前記の第２作業プレート（９２）を貫通したボルトの先端には、ナットを締結することができる。前記の第２作業プレート（９２）の下部に、前記のボルトが締結されるボルトホールが形成されている締結プレートが設置されるのが望ましい。
【００３２】
前述のように構成された印刷製本物の製作装置の作動を調べてみると次の通りである。先ず、印刷物を折り曲げ線形成部（６０）の第１作業面に位置させて、スイッチを作動して第１モーター（７２）を駆動させる。このように、前記の第１モーター（７２）が駆動すると、前記の第１モーター（７２）の回転軸（７２ａ）に設置されているギア体（７５）が回転し、前記のギア体（７５）と噛合っている回転プレート（７６）が回転する。この時、前記の回転プレート（７６）の前面に形成されている突部（７７）が回転するようになる。このように、前記の突部（７７）の回転運動は、前記の突部（７７）のベアリング（７９）と相接する結合ブロック（７８）を上昇または下降させる直線運動に変換される。
【００３３】
このように、前記の第１モーター（７２）の回転力は、直線運動に変換され、前記の結合ブロック（７８）と連結されているプッシュプレート（６６）を上昇または下降させ、前記のプッシュプレート（６６）の端部に固定されている折り曲げ刃（７０）を上昇または下降させる。この時、前記の折り曲げ刃（７０）が下降すると、前記の印刷物に折り曲げ線が形成され、前記の折り曲げ刃（７０）を再度上昇させて折り曲げ線が形成された印刷物を取り除いた後、他の印刷物を挿入する。一方、前述の過程を経て折り曲げ線が形成された印刷物は、間紙と交互に積層して製本物を形成する。
【００３４】
次に、前記の製本物を圧搾部（９０）の第２作業プレート（９２）に安着させた後、前記の第２モーター（１０２）を作動させると、前記の第２モーター（１０２）の回転軸に連結されている連結部材（１０４）がプレスプレート（９８）を、前記の第２作業プレート（９２）から離隔させるようになる。この時、前記のプレスプレート（９８）と前記の第２作業プレート（９２）の間に、前述の製本物の製本部を挿入する。次に、前記の製本物の製本部の反対側は、締結部材（１１６）を回転させて整列片（１１４）が製本部の反対側を固定および整列させる。
【００３５】
次に、前記の第２モーター（１０２）を逆方向に回転させると、倍力部材（１０６）、即ち、コイルスプリングによって、前記のプレスプレート（９８）が下降して製本物の製本部を加圧することになる。
【００３６】
以上のように、本考案による印刷製本物の製作装置を例示の図面を参照して説明したが、本考案は、以上で説明された実施例と図面によって限定されることはなく、特許請求範囲内で、本考案が属する技術分野で通常の知識を有する者により多様な修正および変形が可能なことはもちろんである。
【産業上の利用可能性】
【００３７】
上記実施例では、写真帖としての製本の例を示したが、各種の資料を整理して資料集を製作する場合等、個人的な記録も含めて保存用にしっかりした製本を行う場合に有効である。
【図面の簡単な説明】
【００３８】
【図１】従来の技術による印刷製本物の正面図である。
【図２】従来の技術による印刷製本物が広げられた状態の正面図である。
【図３】従来の技術の他の実施例による印刷製本物の製造方法を示した工程図である。
【図４】従来の技術の他の実施例による印刷製本物の正面図である。
【図５】本考案による印刷製本物の製作装置の斜視図である。
【図６】本考案による印刷製本物の製作装置の折り曲げ線形成部の斜視図である。
【図７】本考案による折り曲げ線形成部の正面図である。
【図８】本考案による折り曲げ線形成部の平面図である。
【図９】本考案による折り曲げ線形成部の側面図である。
【図１０】本考案による折り曲げ線形成部の内部構造が示された断面図である。
【図１１】本考案による印刷製本物の製作装置の圧搾部の斜視図である。
【図１２】本考案による圧搾部の正面図である。
【図１３】本考案による圧搾部の平面図である。
【符号の説明】
【００３９】
５４  ガイドパネル
６０  折り曲げ線形成部
６２  第１作業プレート
６３  ゴムプレート
６４  第１ガイドプレート
６５  ガイド
６６  プッシュプレート
６７  ガイドブロック
７０  折り曲げ刃
７１  第１センサー
７２  第１モーター
７３  第１制御部
７５  ギア体
７６  回転プレート
７７  突部
７８  結合ブロック
７８ａ，７８ｂ  上・下部引っ掛かり突起
７９  ベアリング
９０  圧搾部
９２  第２作業プレート
９４  第２ガイドプレート
９５  ガイドレール
９８  プレスプレート
９９  ガイドブロック
１０２  第２モーター
１０４  連結部材
１０５  アイドルギア
１０６  倍力部材
１０８  第２センサー
１０９  第２制御部
１１０  整列部
１１２  ガイド溝部
１１４  整列片
１１６  締結部材
【図１】
0003130100.tif 000003
【図２】
0003130100.tif 000004
【図３】
0003130100.tif 000005
【図４】
0003130100.tif 000006
【図５】
0003130100.tif 000007
【図６】
0003130100.tif 000008
【図７】
0003130100.tif 000009
【図８】
0003130100.tif 000010
【図９】
0003130100.tif 000011
【図１０】
0003130100.tif 000012
【図１１】
0003130100.tif 000013
【図１２】
0003130100.tif 000014
【図１３】
0003130100.tif 000015